(57)【要約】【課題】  吊りバンドにおけるバンド締着部位のボルトに対する締着ナットの取り外しと締着ナットの再締着に伴う煩雑な作業を可及的に簡易になし得るようにする。【解決手段】  ボルト３の先端にネジ部３１より細径の円形軸部３２を配置し、この円形軸部３２を、軟質系合成樹脂製のナットキャップ５の断面円形筒状の脚部５４によって被嵌するようにして、該ナットキャップ５を雌ネジ孔に嵌合配置した締着ナット４をボルト３の先端に仮止め保持自在とする。ナットキャップ５付きで締着ナット４を引抜いてバンド片１を開けられるから、配管６を受け入れた後にバンド片１を閉じて、ナットキャップ５の天板５１を押えて、締着ナット４をボルト３の先端に押込めば、締着ナット４の再度の仮止め保持ができ、このとき締着ナット４をボルト頭３４方向に僅かに移動すれば締着ナット４のネジ部３１への螺合が可能となるから、締着部位の締着をすることができる。【選択図】  図５
2010133447.tif 000002
【特許請求の範囲】
【請求項１】
配管受け入れ後のバンド締着部位を締着するボルトの先端にナットキャップを介して締着ナットを仮止め保持自在とした配管バンドであって、上記ボルトに、そのボルト軸に締着ナット螺合用のネジ部とその先端側のネジ非形成の円形軸部を配置し、上記ナットキャップに、天板、該天板の面内から片側に突出した脚部及び天板の外周に配置した張出縁部とを配置することによって、ナットキャップの脚部を上記ボルトの円形軸部と締着ナットの雌ネジ孔間に介装し且つ張出縁部を締着ナットの雌ネジ孔縁部に引掛状にして該ナットキャップを締着ボルトに装着して、該締着ボルトの上記仮止め保持を自在としてなることを特徴とする締着部位ナット仮止め保持自在の配管バンド。
【請求項２】
上記ボルト軸に配置した円形軸部の軸径を、上記ネジ部の外径よりネジ山の高さ分を細径とし且つナットキャップの脚部を該ネジ山の高さに相当する肉厚としてなることを特徴とする請求項１に記載の締着部位ナット仮止め保持自在の配管バンド。
【請求項３】
上記ナットキャップを、その天板にエア抜き孔を備えて形成してなることを特徴とする請求項１又は２に記載の締着部位ナット仮止め保持自在の配管バンド。
【請求項４】
上記ナットキャップを、エラストマー、ＥＶＡ、ウレタンゴム、軟質ナイロン等の軟質系の合成樹脂製としてなることを特徴とする請求項１、２又は３に記載の締着部位ナット仮止め保持自在の配管バンド。
【請求項５】
上記配管バンドを、円周方向中間位置でヒンジ連結した対向するバンド片の自由端に形成した締着片をバンド締着部位とし、該締着片によってタンバックルの支持片を挟んで締着ナットで締着するようにした吊りバンドとしてなることを特徴とする請求項１、２、３又は４に記載の締着部位ナット仮止め保持自在の配管バンド。
【請求項６】
上記配管バンドを、円周方向中間位置でヒンジ連結した対向するバンド片の自由端に形成した締着片をバンド締着部位とし、該締着片によって取付足の支持片を挟んで締着ナットで締着するようにした立バンドとしてなることを特徴とする請求項１、２、３又は４に記載の締着部位ナット仮止め保持自在の配管バンド。
【請求項７】
上記配管バンドを、上下一対のバンド片の長手方向両側の自由端に形成した締着片をバンド締着部位とし、該締着片によって基板上に起立した一対のボルトに挿通して上下の締着ナットで締着するようにし且つその上位の締着ナットに対して上記ナットキャップを装着したレベルバンドとしてなることを特徴とする請求項１、２、３又は４に記載の締着部位ナット仮止め保持自在の配管バンド。
【請求項８】
上記配管バンドを、前後一対のバンド片の長手方向両側の自由端に形成した締着片をバンド締着片とし、該締着片を相互に対接して締着するようにした床バンドとしてなることを特徴とする請求項１、２、３又は４に記載の締着部位ナット仮止め保持自在の配管バンド。
【請求項９】
上記配管バンドを、Ｕ字ボルトの各ボルト軸を挿通した基板の下面をバンド締着部位とし、該挿通したボルト軸に基板を挟んで締着ナットで締着するようにしたＵ字バンドとしてなることを特徴とする請求項１、２、３又は４に記載の締着部位ナット仮止め保持自在の配管バンド。
【発明の詳細な説明】
【技術分野】
【０００１】
本発明は、建築物の配管をスラブ乃至壁面に支持するに用いる配管バンドに関し、特に締着部位にナットを仮止め保持した締着部位ナット仮止め保持自在の配管バンドに関する。
【背景技術】
【０００２】
この種の配管バンドは、例えば吊りバンドにあっては、円周方向中間位置でヒンジ連結した一対のバンド片と、該バンド片の自由端に配置した各締着片と、該締着片を吊ボルトに吊支持するタンバックルと、上記一対のバンド片に配管を受け入れた後に上記締着片をタンバックルに下向きに配置した支持片を挟んで一体的に締着するボルトと締着ナットとを備え、該締着片をバンド締着部位としたものとされている。そして該吊りバンドは、その工場出荷乃至現場搬入の形態を、配管受け入れ後にバンド締着部位をボルトと締着ナットで締着した状態として行なうものとされており、このようにバンド締着部位のボルトと締着ナットの締着状態の形態としてその工場出荷乃至現場搬入を行なうのは、吊りバンド以外にも立バンド、レベルバンド、床バンド、Ｕ字バンド等を含めた各種配管バンドに一般的な形態とされている。
【０００３】
【特許文献１】特開２００１−１０８１５２号公報
【発明の開示】
【発明が解決しようとする課題】
【０００４】
この場合、ボルトと締着ナットがボルト締着部位に締着した状態に一体化していることによって、配管バンドによる配管作業に際して締着用のボルトやナットの紛失トラブルを避けることができ、例えば上記吊りバンドにあっては、バンド片、タンバックル、ボルト、締着ナットを現場でセットするような煩雑な作業を必要とすることなく、比較的効率的に配管作業を行なうことが可能となる。しかし乍ら、上記吊りバンドによる配管作業は、例えば締着してある締着ナットを回転操作してボルト軸方向に移動することによってボルトから取り外し、取り外した締着ナットを手持ちした状態で、ヒンジ連結した片側一方のバンド片を開いて開状態とし配管を受け入れて再度一対のバンド片を閉状態とした上、一対のハンド片の締着片を挿通したボルトのボルト軸先端に締着ナットを宛がって螺合し、該締着ナットを更に回転操作することによって再締着するように行なうものとされるところ、締着ナットをボルトから取り外す回転操作が、ボルト軸がある程度の長さを有するために煩雑であること、取り外した締着ナットをボルト軸の先端に宛がって螺合し、その後に回転操作して再締着することが煩雑であるといった問題点が残されており、吊りバンドのように、天井スラブに配管を吊り支持するため上方高所の配管作業にあって、このような煩雑さを可及的に解消する必要がある。その余の上記各種の配管バンドによる配管作業にあっても、その具体的な手順は異なるとしても、いずれもボルトから締着ナットを取り外して、配管受け入れ後にその再締着を行なう作業は共通に必須とされている。
【０００５】
本発明はかかる事情に鑑みてなされたもので、その解決課題とするところは、配管作業に伴うバンド締着部位におけるボルトからの締着バンド取り外しとその再締着を可及的に簡易になし得るようにすることにより、配管作業を可及的に容易化してその作業性を向上して使い勝手を良好とした締着部位ナット仮止め保持自在の配管バンドを提供するにある。
【課題を解決するための手段】
【０００６】
上記課題に沿って本発明は、バンド締着部位の締着を行うボルトのボルト軸のネジ部先端にネジ非形成の円形軸部を配置する一方、張出縁部を締着ナットの雌ネジ孔縁部に係合するように締着ナットの雌ネジ孔に嵌合したナットキャップの脚部を上記ボルトの円形軸部と雌ネジ孔間に介装して、ボルトの先端に締着ナットを仮止め保持自在として、円筒軸部においてナットキャップ嵌合状態で締着ナットを引抜くようにボルトからの締着ナットの取り外しをなし得るものとする一方、締着ナットを該円形軸部の先端に宛がった状態でナットキャップを押圧することによってその脚部で上記円形軸部を被嵌して締着ナットを再度仮止め保持の状態とするとともに該締着ナットを円形軸部からボルト軸のネジ部方向に押圧することによってネジ部先端に対する螺合とその後の回転操作によって締着ナットの再締着をなし得るものとして、締着ナット取り外しとその再締着に伴う煩雑な作業を可及的に解消したものであって、即ち請求項１に記載の発明を、配管受け入れ後のバンド締着部位を締着するボルトの先端にナットキャップを介して締着ナットを仮止め保持自在とした配管バンドであって、上記ボルトに、そのボルト軸に締着ナット螺合用のネジ部とその先端側のネジ非形成の円形軸部を配置し、上記ナットキャップに、天板、該天板の面内から片側に突出した脚部及び天板の外周に配置した張出縁部とを配置することによって、ナットキャップの脚部を上記ボルトの円形軸部と締着ナットの雌ネジ孔間に介装し且つ張出縁部を締着ナットの雌ネジ孔縁部に引掛状にして該ナットキャップを締着ボルトに装着して、該締着ボルトの上記仮止め保持を自在としてなることを特徴とする締着部位ナット仮止め保持自在の配管バンドとしたものである。
【０００７】
請求項２に記載の発明は、上記に加えて、上記ボルトの円形軸部による締着ナットの仮止め保持、再締着におけるナットキャップの脚部による円形軸部の受入れによる再度の仮止め保持を可及的に確実になし得るものとするように、これを、上記ボルト軸に配置した円形軸部の軸径を、上記ネジ部の外径よりネジ山の高さ分を細径とし且つナットキャップの脚部を該ネジ山の高さに相当する肉厚としてなることを特徴とする請求項１に記載の締着部位ナット仮止め保持自在の配管バンドとしたものである。
【０００８】
請求項３に記載の発明は、同じく上記に加えて、上記ナットキャップが締着ナットの雌ネジ孔を密閉することによって、締着ナットの容易な取り外しと再締着に際してナットキャップの脚部による円形軸部の容易な受入れを阻害することなく、該取り外しと再装着を可及的にスムーズになし得るものとするように、これを、上記ナットキャップを、その天板にエア抜き孔を備えて形成してなることを特徴とする請求項１又は２に記載の締着部位ナット仮止め保持自在の配管バンドとしたものである。
【０００９】
請求項４に記載の発明は、同じく上記に加えて、上記ナットキャップを、適当な摩擦抵抗と弾性を備えることによって確実な仮止め保持と再度の仮止め保持を行なうものとするように、これを、上記ナットキャップを、エラストマー、ＥＶＡ、ウレタンゴム、軟質ナイロン等の軟質系の合成樹脂製としてなることを特徴とする請求項１、２又は３に記載の締着部位ナット仮止め保持自在の配管バンドとしたものである。
【００１０】
請求項５乃至請求項９に記載の発明は、同じく上記に加えて、上記配管バンドをそれぞれ好ましい形態のものとして、上記使い勝手を良好とした各締着部位ナット仮止め保持の配管バンドを提供するように、請求項５に記載の発明を、上記配管バンドを、円周方向中間位置でヒンジ連結した対向するバンド片の自由端に形成した締着片をバンド締着部位とし、該締着片によってタンバックルの支持片を挟んで締着ナットで締着するようにした吊りバンドとしてなることを特徴とする請求項１、２、３又は４に記載の締着部位ナット仮止め保持自在の配管バンドとし、請求項６に記載の発明を、上記配管バンドを、円周方向中間位置でヒンジ連結した対向するバンド片の自由端に形成した締着片をバンド締着部位とし、該締着片によって取付足の支持片を挟んで締着ナットで締着するようにした立バンドとしてなることを特徴とする請求項１、２、３又は４に記載の締着部位ナット仮止め保持自在の配管バンドとし、請求項７に記載の発明を、上記配管バンドを、上下一対のバンド片の長手方向両側の自由端に形成した締着片をバンド締着部位とし、該締着片によって基板上に起立した一対のボルトに挿通して上下の締着ナットで締着するようにし且つその上位の締着ナットに対して上記ナットキャップを装着したレベルバンドとしてなることを特徴とする請求項１、２、３又は４に記載の締着部位ナット仮止め保持自在の配管バンドとし、請求項８に記載の発明を、上記配管バンドを、前後一対のバンド片の長手方向両側の自由端に形成した締着片をバンド締着片とし、該締着片を相互に対接して締着するようにした床バンドとしてなることを特徴とする請求項１、２、３又は４に記載の締着部位ナット仮止め保持自在の配管バンドとし、請求項９に記載の発明を、上記配管バンドを、Ｕ字ボルトの各ボルト軸を挿通した基板の下面をバンド締着部位とし、該挿通したボルト軸に基板を挟んで締着ナットで締着するようにしたＵ字バンドとしてなることを特徴とする請求項１、２、３又は４に記載の締着部位ナット仮止め保持自在の配管バンドとしたものである。
【００１１】
本発明はこれらをそれぞれ発明の要旨として上記課題解決の手段としたものである。
【発明の効果】
【００１２】
本発明は以上のとおりに構成したから、バンド締着部位の締着を行なうボルトのボルト軸のネジ部先端にネジ非形成の円形軸部を配置する一方、張出縁部を締着ナットの雌ネジ孔縁部に係合するように締着ナットの雌ネジ孔に嵌合したナットキャップの脚部を上記ボルトの円形軸部と雌ネジ孔間に介装して、ボルトの先端に締着ナットを仮止め保持自在として、ボルト軸先端方向にナットキャップ嵌合状態で締着ナットを引抜くようにボルトからの締着ナットの取り外しをなし得るものとする一方、締着ナットを該円形軸部の先端に宛がった状態でナットキャップを押圧することによってその脚部で上記円形軸部を被嵌して締着ナットを再度仮止め保持の状態とするとともに該締着ナットを円形軸部からボルト軸のネジ部方向に押圧することによってネジ部先端に対する螺合とその後の回転操作によって締着ナットの再締着をなし得るものとして、配管作業に伴うバンド締着部位におけるボルトからの締着バンド取り外しとその再締着を可及的に簡易になし得るようにして、配管作業を可及的に容易化してその作業性を向上して使い勝手を良好とした締着部位ナット仮止め保持自在の配管バンドを提供することができる。
【００１３】
請求項２に記載の発明は、上記に加えて、上記ボルトの円形軸部による締着ナットの仮止め保持、再締着におけるナットキャップの脚部による円形軸部の受入れによる再度の仮止め保持を可及的に確実になし得るものとすることができる。
【００１４】
請求項３に記載の発明は、同じく上記に加えて、上記ナットキャップが締着ナットの雌ネジ孔を密閉することによって、締着ナットの容易な取り外しと再締着に際してナットキャップの脚部による円形軸部の容易な受入れを阻害することなく、該取り外しと再装着を可及的にスムーズになし得るものとすることができる。
【００１５】
請求項４に記載の発明は、同じく上記に加えて、上記ナットキャップを、適当な摩擦抵抗と弾性を備えることによって確実な仮止め保持と再度の仮止め保持を行なうものとすることができる。
【００１６】
請求項５乃至請求項９に記載の発明は、同じく上記に加えて、上記配管バンドをそれぞれ好ましい形態のものとして、上記使い勝手を良好とした各締着部位ナット仮止め保持の配管バンドを提供することができる。
【発明を実施するための最良の形態】
【００１７】
以下図面の例に従って本発明を更に具体的に説明すれば、Ａは、本例にあって、円周方向中間位置でヒンジ１２連結した対向するバンド片１の自由端に形成した締着片１１をバンド締着部位とし、該締着片１１によってタンバックル２の支持片２２を挟んでボルト３と締着ナット４で締着するようにした吊りバンドとした配管バンドであり、該配管バンドＡは、配管６受け入れ後のバンド締着部位を締着するボルト３の先端にナットキャップ５を介して締着ナット４を仮止め保持自在としてあり、このとき上記ボルト３に、そのボルト軸に締着ナット４螺合用のネジ部３１とその先端側のネジ非形成の円形軸部３２を配置し、上記ナットキャップ５に、天板５１、該天板５１の面内から片側に突出した脚部５４及び天板５１の外周に配置した張出縁部５２とを配置することによって、ナットキャップ５の脚部５４を上記ボルト３の円形軸部３２と締着ナット４の雌ネジ孔間に介装し且つ張出縁部５２を締着ナット４の雌ネジ孔縁部に引掛状にして該ナットキャップ５を締着ボルト４に装着して、該締着ボルト４の上記仮止め保持自在としてある。
【００１８】
本例の配管バンドＡは、吊りバンドとして、円周方向中間位置でヒンジ連結した一対のバンド片１と、該バンド片１の自由端に配置した各締着片１１と、該締着片１１を天井スラブからの吊ボルトに吊支持するタンバックル２と、上記一対のバンド片１に配管６を受け入れた後に上記締着片１１をタンバックル２に下向きに配置した支持片２２を挟んで一体的に締着するボルト３と締着ナット４とを備えて、該締着片１１をバンド締着部位としたものとしてあり、本例の配管バンドＡにあっては、更にボルト３を挿通した側の一方の締着片１１の内側、即ち他方の締着片１１との対向面側にボルト３を挿通した後に該ボルト３の抜止めを行なうように、ボルト軸の軸径に合せて、これより僅かに径小とした透孔を有する、例えば合成樹脂シートによる抜止め部材２３を配置し、その透孔に各ボルト３を挿通することによって、締着片１１の内側においてボルト３を保持し、締着ナット４の取り外しに際して、ボルト３を手押さえしなくても該ボルト３が締着片１１から抜け落ちて、タンバックル２からバンド片１が落下するようなことのないようにしてある。
【００１９】
本例の一対のバンド片１は、各バンド片１を半円とするように円周方向下端において該バンド片１に加工設置したヒンジ１２によって連結してあり、各バンド片１は、その自由端、即ち上側に該バンド片１を垂直に立ち上げるように起立片とした締着片１１を配置するとともに該締着片１１は、その面内に上記ボルト３をそれぞれ受入れる透孔を透設したものとしてある。一方、タンバックル２は、上端に上記吊ボルトの下端に螺合する水平ナット２１と、該水平ナット２１を回転自在に保持して、上記締着片１１の透孔の位置に応じて透孔を透設した垂下片２２を配置したものとしてある。
【００２０】
本例のボルト３は、例えばＭ６×２０の六角ボルトを用いるものとしてあり、そのボルト軸を、ボルト頭側のネジ部３１と、該ネジ部３１の先端の円形軸部３２とを備えたものとしてあり、本例にあって該円形軸部３２は、その軸径を、上記ネジ部３１の外径よりネジ山の高さ分を細径としたものとしてある。
【００２１】
即ち該ボルト３は、そのボルト軸の長さを上記六角ボルト表示長さ２０ｍｍに応じて２ｃｍとする一方、その長手方向ボルト頭側の１．５ｃｍ弱部分にネジ部３１として雄ネジを形成し、その残余長さの０．５ｃｍ強部分を先端の円形軸部３２としてあり、このとき該円形軸部３２は、その外径を、上記雄ネジの１ｍｍのネジ山を外周から除いた、例えば０．５ｃｍ程度（正確には４．６ｍｍ）としてあり、また本例の円形軸部３２は、該外径と、その縮小した先端面の、例えば０．４ｃｍの外径との間を湾曲面で連結するようにして先端に１ｍｍ程度長さの先細り状とした上記ナットキャップ５の脚部５４に対する嵌合ガイド３３を配置したものとしてある。
【００２２】
本例の締着ナット４は、上記六角ボルト用のＭ６の六角ナットを用いるものとしてあり、その側面高さを０．５ｃｍ、外径を１ｃｍ強、雌ネジ孔の内径を上記雄ネジに合せた０．５ｃｍ弱としてあり、これによって上記ボルト軸先端の円形軸部３２に遊嵌し且つボルト軸のネジ部３１に対して螺合することにより、上記締着部位における締着を行うようにしてある。
【００２３】
ナットキャップ５は、上記天板５１と、その下面に一体に配置した脚部５４と、天板５１の外周を張出した張出縁部５２とを備えて、例えばエラストマー、ＥＶＡ、ウレタンゴム、軟質ナイロン等の軟質系の合成樹脂製、例えばＥＶＡによる成形部材としてあり、このとき本例のナットキャップ５は、これを、その天板５１にエア抜き孔５３を備えて形成したものとしてあり、本例にあってその脚部５４は、これを断面円形の円筒形としてある。
【００２４】
即ちナットキャップ５は、天板５１の外径を上記雌ネジ孔の内径に略合せた５ｃｍ強とし、張出縁部５２の外径を７ｃｍ強、例えば７．２ｃｍとする一方、脚部５４の外径を、天板５１と略同径の５ｃｍ強、該脚部５４の天板５１下面からの突出高さを３．５ｃｍ程度としたものとしてあり、従って該ナットキャップ５の脚部５４を、締着ナット４の雌ネジ孔に嵌合した際、ナットキャップ５の張出縁部５２が該締着ナット４の雌ネジ孔の外周縁部に対接し且つ雌ネジ孔に０．５ｍｍ程度の高さを残してその嵌合を行うようにしてある。
【００２５】
このとき該ナットキャップ５の天板５１及び張出縁部５２は同肉厚の０．５ｍｍ程度とする一方、ナットキャップ５の、上記円筒形とした脚部５４は、これを上記ボルト軸に形成したネジ部３１、即ち雄ネジのネジ山の高さに相当する肉厚としてあり、本例にあってネジ山高さを上記１ｍｍとしたことから、該脚部５４の肉厚は、これを、その１／２の０．５ｍｍより僅かに薄肉化した、例えば０．数ｍｍ程度薄肉の０．４ｍｍ乃至０．４ｍｍ弱をその設定肉厚としてある。
【００２６】
これによって本例の脚部５４は、その外径を、上記ボルト軸のネジ部３１の外径、即ち締着ナット４の雌ネジ孔の内径６ｍｍより径小とし、その内径を、円形軸部３２の外径０．５ｃｍ弱より僅かに径大とするようにして、締着ナット４の雌ネジ孔に対して嵌合し且つボルト軸の円形軸部３２に対して被嵌する円筒形をなすものとのとしてある。
【００２７】
ナットキャップ５のエア抜き孔５３は、例えば天板５１の中央位置に該天板５１を貫通するように透設した透孔によるものとしてあり、その内径は、これを１〜３ｍｍ程度の天板５１内に納まり且つ脚部５４内部にエア圧が加わったときにそのエアを排出することによって、脚部５４内部のエア圧の上昇を回避するものとしてあり、本例にあって該エア抜き孔５３は、天板５１中央位置の１ｍｍ程度の円形孔によるものとしてある。
【００２８】
このように形成したナットキャップ５は、締着ナット４の雌ネジ孔に脚部５４を嵌合するように該締着ナット４に装着し、締着ナット４の雌ネジ孔の外周縁部に張出縁部５２が対接した状態で、その天板５１を指で押さえて、開放した側の雌ネジ孔にボルト軸の円形軸部３２を受け入れるように、ボルト軸側に締着ナット４を押圧することによって、該ボルト軸の円形軸部３２を該ナットキャップ５の脚部５４で被嵌するように装着すれば、ボルト３に対する締着ナット４の仮止め保持を行うことができる。そして、該締着ナット４の仮止め保持の状態で、ナットキャップ５の天板５１を押えることなく、締着ナット４を指先でボルト頭３４方向に押圧すれば、締着ナット４はナットキャップ５を円形軸部３２に残して移動して、ボルト軸のネジ部３１に至るから、該締着ナット４を螺合方向に指先で回転操作すれば、仮止め保持の状態から直接にボルト３のネジ部３１に螺合進行してその締着をなし得る一方、締着を解除するときは、締着ナット４を螺合解除の逆方向に指先で回転操作すれば、締着ナット４はネジ部３１から円形軸部３２に被嵌したナットキャップ５の脚部５４に至るとともに該脚部５４が締着ナット４の雌ネジ孔に嵌合するに至るから、該締着ナット４を円筒軸部３２から引き抜くようにすれば、該締着ナット４はナットキャップ５を嵌合した状態でボルト３から取り外すことができる。即ち、本例にあって、ナットキャップ５の脚部５４を、ネジ部３１のネジ山の高さに相当する肉厚として、該脚部５４が、円形軸部３２に内接し且つ雌ネジ孔に外接する形態としつつも、上記仮止め保持乃至再度の仮止め保持を可能としたのは、ナットキャップ５の材質を上記適当な摩擦抵抗と弾性を備えるものとしたこと乃至該脚部５４の形状を捲れの生じ難い上記円筒形としたことが、円形軸部３２に嵌合ガイド３３を配置したことと相俟って有効に作用するためと見られる。
【００２９】
上記吊りバンドとした配管バンドＡにあっては、一般に、その自由端に形成した締着部位をなす締着片１１のボルト３の円筒軸部３２に締着ナット４を仮止め保持するか、該締着ナット４を更にネジ部３１に螺装して締着した上、タンバックル２を一対のバンド片１の円周内に収納するようにした工場出荷形態乃至現場搬入形態とするところ、該配管バンドＡを用いた配管作業は、タンバックル２をバンド片１の円周内から外側に起立し、その仮止め保持の状態で、締着ナット４を円筒軸部３２から引き抜いて、締着ナット４をボルト３から取り外し、締着片１１をボルト３から抜けば、片側一方のバンド片１を開放して配管６の受け入れが可能となり、配管６受け入れ後に該片側一方のバンド片１を閉鎖し、その締着片１１の透孔にボルト３を挿通し、ボルト３の先端に締着ナット４を装着して再度仮止め保持状態とした上、締着ナット４をボルト頭３４方向に押圧してそのネジ部３１に螺合するようにすれば、その締着部位における締着を行うことができる。
【００３０】
このとき本例の配管バンドＡは、上記ボルトの抜止め部材２３を配置したから、該抜止め部材２３がボルト３を常時保持する結果、締着ナット４の仮止め保持状態で、該ボルト４が締着片１１の透孔内でその長手方向に揺動するのを可及的に防止でき、従って、上記仮止め保持の状態を工場出荷形態としても、例えば輸送時の振動によって締着ナット４にその抜け方向の外力が作用するのを防止できるとともに、配管作業にあっては、ボルト３から締着ナット４を取り外しても、該ボルト３が抜け落ちて、バンド片１がタンバックル２から落下するような可能性を解消できる。このため配管作業における締着ナット４の取り外しに際しては、該締着ナット４を手持ちすれば、ボルト３の手押さえが不要となるから、配管６のバンド片１受け入れを容易に行うことができ、作業性を極めて良好とすることができる。
【００３１】
図示した例は以上のとおりとしたが、上記の吊りバンド以外の配管バンドにあっても同様にボルト軸に円形軸部を形成し、該円形軸部にナットキャップを装着した締着ナットを仮止め保持するようにして、同じく作業性を向上することが可能である。即ち、上記配管バンドを、円周方向中間位置でヒンジ連結した対向するバンド片の自由端に形成した締着片をバンド締着部位とし、該締着片によって取付足の支持片を挟んで締着ナットで締着するようにした立バンドとすること、上記配管バンドを、上下一対のバンド片の長手方向両側の自由端に形成した締着片をバンド締着部位とし、該締着片によって基板上に起立した一対のボルトに挿通して上下の締着ナットで締着するようにし且つその上位の締着ナットに対して上記ナットキャップを装着したレベルバンドとすること、上記配管バンドを、前後一対のバンド片の長手方向両側の自由端に形成した締着片をバンド締着片とし、該締着片を相互に対接して締着するようにした床バンドとすること、更に、上記配管バンドを、Ｕ字ボルトの各ボルト軸を挿通した基板の下面をバンド締着部位とし、該挿通したボルト軸に基板を挟んで締着ナットで締着するようにしたＵ字バンドとすることが可能であり、いずれも上記吊りバンドと同様にその締着ナットの仮止め保持を行って、それぞれ締着部位ナット仮止め保持自在の配管バンドとすることができる。
【００３２】
また上記円形軸部の長さを締着ナットの側面高さより僅かに、例えば上記例のように該円形軸部を０．５ｃｍ強程度とし、ナット側面高さより１〜２ｍｍ程度長いものとすれば、締着ナットの僅かな幅の押圧によってネジ部への移動とこれに対する螺合が可能となるから、該円形軸部の長さは、一般にこの程度で足りるが、円形軸部の長さを更に長くすることも可能であり、この場合、締着に必要なネジ部の長さを確保できれば、締着ナット押圧による移動の幅が長くなるのみで、特段の問題を生じることはない。
【００３３】
更に、締着ナットに蝶ナットを用いること、ナットキャップの脚部を、例えば円形軸部の被嵌に際してその開きを促進して、該円形軸部の被嵌を容易化する如くに、脚部の円周方向にこれを複数区分するようにスリットを配置すること、この場合、必要に応じてナットキャップを半硬質樹脂等のものとすること等を含めて、本発明の実施に当って、配管バンド、ボルトの円形軸部、ナットキャップ、締着ボルトの形状、構造、材質、これらの関係、これらに対する付加等は、上記発明の要旨に反しない限り、様々な形態のものとすることができる。
【図面の簡単な説明】
【００３４】
【図１】吊りバンドの分解斜視図である。
【図２】吊りバンドの出荷状態を示す正面図である。
【図３】ボルト、ナットキャップ、締着ナットの関係を示す分解図である。
【図４】図１の締着部位の部分拡大図である。
【図５】ボルトの円形軸部への締着ナット仮止め保持状態を示す部分拡大正面図である。
【図６】ナットキャップの拡大断面図である。
【符号の説明】
【００３５】
Ａ  配管バンド
１  バンド片
１１  締着片
１２  ヒンジ
２  タンバックル
２１  水平ナット
２２  支持片
２３  抜止め部材
３  ボルト
３１  ネジ部  
３２  円形軸部
３３  嵌合ガイド
３４  ボルト頭
４  締着ナット
５  ナットキャップ
５１  天板
５２  張出縁部
５３  エア抜き孔
５４  脚部
６  配管
【図１】
2010133447.tif 000003
【図２】
2010133447.tif 000004
【図３】
2010133447.tif 000005
【図４】
2010133447.tif 000006
【図５】
2010133447.tif 000007
【図６】
2010133447.tif 000008